(57)【要約】【課題】照射範囲内の輝度の均一性を向上させかつ照射範囲外への光の漏れを抑制する面光源装置の提供を目的とする。【解決手段】主面を有する保持部と、保持部の主面に保持される光源と、光源を覆って設けられ、光源から出射される光の配光を変更する配光制御素子と、配光制御素子の両側に設けられ、配光制御素子から出射される光の一部を反射する１組の反射部と、を含む。配光制御素子は、光源から出射される光が入射する光入射面を下面側に含む本体と、拡散材を含み、本体の上面に設けられる拡散反射層と、を含む。拡散反射層は、本体の上面とは反対側に凸形状を有する拡散出射面を含む。拡散反射層の中央部における厚さは、中央部よりも外側に位置する外周部における厚さよりも厚い。１組の反射部の各々は、保持部の主面に近い方の一端から遠い方の他端にかけて配光制御素子の中心を通る光軸との距離が離れるように傾斜する斜面を有する。【選択図】図１
2019204693.tif 000002
【特許請求の範囲】
【請求項１】
主面を有する保持部と、
前記保持部の前記主面に保持される少なくとも１つの光源と、
前記少なくとも１つの光源を覆って設けられ、前記少なくとも１つの光源から出射される光の配光を変更する配光制御素子と、
前記配光制御素子の両側に設けられ、前記配光制御素子から出射される光の一部を反射する１組の反射部と、を備え、
前記配光制御素子は、
前記少なくとも１つの光源から出射される前記光が入射する光入射面を下面側に含む本体と、
拡散材を含み、前記本体の上面に設けられる拡散反射層と、を含み、
前記拡散反射層は、前記本体の前記上面とは反対側に凸形状を有する拡散出射面を含み、
前記拡散反射層の中央部における厚さは、前記中央部よりも外側に位置する外周部における厚さよりも厚く、
前記１組の反射部の各々は、前記保持部の前記主面に近い方の一端から遠い方の他端にかけて前記配光制御素子の中心を通る光軸との距離が離れるように傾斜する少なくとも１つの斜面を有する面光源装置。
【請求項２】
前記拡散反射層は、前記本体の前記上面の端部から前記本体の外側に向けて突出した突出部を含む請求項１に記載の面光源装置。
【請求項３】
前記配光制御素子の前記光入射面は、前記少なくとも１つの光源を覆うように位置し、前記少なくとも１つの光源を含む断面において、矩形形状を有する請求項１または請求項２に記載の面光源装置。
【請求項４】
前記配光制御素子は、少なくとも一部が前記保持部の前記主面に当接しかつ前記光を前記拡散反射層に向けて反射する光反射面を前記配光制御素子の前記本体の前記下面側に含む請求項１から請求項３のいずれか一項に記載の面光源装置。
【請求項５】
前記配光制御素子の前記光反射面は、第１の方向に曲率を有し、前記第１の方向に対して垂直である第２の方向に曲率を有しないシリンドリカル面を含む請求項４に記載の面光源装置。
【請求項６】
前記少なくとも１つの光源は、複数の光源を含み、
前記複数の光源の各々は、前記第２の方向に並べて配置される請求項５に記載の面光源装置。
【請求項７】
前記配光制御素子は、前記配光制御素子の前記本体の側部に光出射面を含む請求項１から請求項６のいずれか一項に記載の面光源装置。
【請求項８】
前記配光制御素子の前記光出射面は、第１の方向に曲率を有し、前記第１の方向に対して垂直である第２の方向に曲率を有しないシリンドリカル面を含み、
前記配光制御素子の前記光入射面は、前記第２の方向に延在する溝形状を含む請求項７に記載の面光源装置。
【請求項９】
前記少なくとも１つの光源は、複数の光源を含み、
前記複数の光源の各々は、前記第２の方向に並べて配置される請求項８に記載の面光源装置。
【請求項１０】
前記配光制御素子は、前記光出射面に凹凸形状を含む請求項７から請求項９のいずれか一項に記載の面光源装置。
【請求項１１】
前記配光制御素子は、前記光入射面、前記拡散出射面、前記本体の前記上面または少なくとも一部が前記上面に接する面である前記拡散反射層の拡散反射面に凹凸形状を含む請求項１から請求項１０のいずれか一項に記載の面光源装置。
【請求項１２】
前記配光制御素子の前記本体は、拡散材を含む請求項１から請求項１１のいずれか一項に記載の面光源装置。
【請求項１３】
前記１組の反射部の各々は、前記斜面の前記他端に接続される曲面もしくは前記主面に対し平行な平面を含む請求項１から請求項１２のいずれか一項に記載の面光源装置。
【請求項１４】
各々が前記少なくとも１つの光源と前記配光制御素子と前記１組の反射部とを含み、かつ、各々が前記保持部の前記主面に対し平行な一の方向に配列された複数の面光源領域と、
前記複数の面光源領域の各々に設けられた前記配光制御素子と前記１組の反射部とを覆って設けられる拡散板と、をさらに備え、
前記複数の面光源領域の各々における前記１組の反射部の各前記他端は、前記配光制御素子の前記拡散出射面における頂部よりも、前記拡散板の近くに位置する請求項１から請求項１３のいずれか一項に記載の面光源装置。
【請求項１５】
請求項１から請求項１４のいずれか一項に記載の面光源装置と、
前記面光源装置から出射された面状の光を画像光に変換する液晶パネルと、を備える液晶表示装置。
【発明の詳細な説明】
【技術分野】
【０００１】
本発明は、面光源装置および液晶表示装置に関する。
【背景技術】
【０００２】
液晶表示装置が備える液晶パネルは、自ら発光しない。このため、液晶表示装置は、液晶パネルを照明する光源として、液晶パネルの裏面側にバックライト装置（面光源装置）を備えている。
【０００３】
バックライト装置の構成として、エッジ型のバックライト装置および直下型のバックライト装置が知られている。
【０００４】
エッジ型のバックライト装置は、導光板の側面に配置された光源から光が入射する構成を有する。直下型のバックライト装置は、複数の発光ダイオード（Light Emitting Diode：以下、ＬＥＤという。）が背面側に並べられた構成を有する。
【０００５】
近年、試験放送が開始された４Ｋ８Ｋ放送に対応する液晶表示装置は、従来よりも高い解像度を有するものの、その液晶パネルを透過する光の透過率は低下する。そのため、４Ｋ８Ｋ放送に対応する液晶表示装置には、これまでよりも多くの光量で照明することができるバックライトが必要である。しかし、エッジ型のバックライト装置においては、導光板の側面の長さによって設置できる光源の個数に上限があり、その上限以上に光量を増やすことができない。このような理由から、現行の４Ｋ８Ｋパネルを有する液晶表示装置には、より多く光源を並べることのできる直下型のバックライト装置が用いられることが一般的である。
【０００６】
また、液晶表示装置が大型化されるにあたり、ユーザが感じる威圧感の緩和および設置場所への負荷軽減を目的とした軽量化のため、液晶表示装置全体の厚みは薄型化される傾向にある。ここで薄型化とは、バックライト構成部品の厚みが２０ｍｍ以下のものを指す。
【０００７】
さらに、液晶表示装置に表示される画像のコントラストをより改善するため、ローカルディミングが広く用いられている。ローカルディミングとは、複数の領域に分割された発光領域を有するバックライト装置において、個別の領域毎に明るさを制御する技術である。
【先行技術文献】
【特許文献】
【０００８】
【特許文献１】国際公開第２０１２／０７３３９８号
【特許文献２】特開２００６−２８６６０８号公報
【特許文献３】特開２０１８−３８０２０号公報
【発明の概要】
【発明が解決しようとする課題】
【０００９】
特許文献１には、光学素子の光入射面の中心部分または光出射面の中心部分に拡散構造を含む光学素子が開示されている。拡散構造は、光源から出射される光を拡散させることにより、面状の照射光の輝度ムラを低減する。しかし、その拡散光は、光学素子の中でも拡散構造が設けられた領域から出射される。そのため、薄型かつ大型のバックライト装置の全面の輝度均一性を向上させるためには、光学素子の数および光源の数を増やす必要がある。その結果、バックライト装置の重量が増加する。
【００１０】
特許文献２には、保持基板上に配置された１以上の点光源と、それらの点光源を被覆するシリンドリカルレンズとを有する面状照射光源が開示されている。その面状照射光源は、保持基板に対し垂直方向の凹レンズ機能と水平方向の凸レンズ機能とにより、面状の照射光を提供する。しかし、そのような構成を有する面状照射光源は、１本のレンズが照射する範囲が狭い。そのため、レンズから遠い領域、例えば、バックライト開口部の外周領域においては、バックライト装置の出射面に対し浅い角度で入射する光が増加する。その結果、レンズから遠い領域ほど光量が減衰し、均一な輝度分布を得ることが難しくなる。薄型化を実現しながら、大型化された液晶パネルを均一に照射するためには、レンズの本数を増やす必要があり、バックライト装置の重量が増加する。
【００１１】
特許文献３には、ローカルディミングが可能なバックライト装置を有する映像表示装置が開示されている。バックライト装置は、複数のエリアに分割されており、各エリアには複数のＬＥＤが配置されている。しかし、複数のエリアのうちの１つのエリアの照射範囲は、それに隣接する他のエリアの照射範囲と重なっていると予想される。つまり、明確に照射範囲を区切ることができておらず、ローカルディミングの効果が十分でない。
【００１２】
本発明は、以上のような課題を解決するためになされたものであり、配光制御素子が照射する射範囲内の輝度の均一性を向上させ、かつ、照射範囲外への光の漏れを抑制する面光源装置の提供を目的とする。
【課題を解決するための手段】
【００１３】
本発明に係る面光源装置は、主面を有する保持部と、保持部の主面に保持される少なくとも１つの光源と、少なくとも１つの光源を覆って設けられ、少なくとも１つの光源から出射される光の配光を変更する配光制御素子と、配光制御素子の両側に設けられ、配光制御素子から出射される光の一部を反射する１組の反射部と、を含む。配光制御素子は、少なくとも１つの光源から出射される光が入射する光入射面を下面側に含む本体と、拡散材を含み、本体の上面に設けられる拡散反射層と、を含む。拡散反射層は、本体の上面とは反対側に凸形状を有する拡散出射面を含む。拡散反射層の中央部における厚さは、中央部よりも外側に位置する外周部における厚さよりも厚い。１組の反射部の各々は、保持部の主面に近い方の一端から遠い方の他端にかけて配光制御素子の中心を通る光軸との距離が離れるように傾斜する少なくとも１つの斜面を有する。
【発明の効果】
【００１４】
本発明によれば、配光制御素子が照射する照射範囲内の輝度の均一性を向上させ、かつ、照射範囲外への光の漏れを抑制する面光源装置の提供が可能である。
【００１５】
本発明の目的、特徴、局面、および利点は、以下の詳細な説明と添付図面とによって、より明白になる。
【図面の簡単な説明】
【００１６】
【図１】実施の形態１における液晶表示装置および面光源装置の構成を概略的に示す図である。
【図２】実施の形態１における面光源装置の構成の一部を示す図である。
【図３】実施の形態１における配光制御素子の構成を示す図である。
【図４】実施の形態１における光源から出射された光線の挙動を示す図である。
【図５】実施の形態１における光源から出射された光線の挙動を示す図である。
【図６】実施の形態１における配光制御素子から出射された光線の挙動を示す図である。
【図７】実施の形態１における配光制御素子から出射された光線の別の挙動を示す図である。
【図８】実施の形態１における配光制御素子の構成の別の一例を示す図である。
【図９】実施の形態２における配光制御素子および各第２反射部の構成を示す図である。
【図１０】実施の形態３における配光制御素子の構成を示す図である。
【発明を実施するための形態】
【００１７】
＜実施の形態１＞
（液晶表示装置および面光源装置の構成）
図１は、実施の形態１における液晶表示装置１００および面光源装置２００の構成を概略的に示す図である。
【００１８】
以下の各実施の形態において、図１に示されるｘｙｚ直交座標系を適宜用いて、各装置の構成および機能を説明する。
【００１９】
以下の説明において、液晶パネル１の短辺方向は、ｘ方向（左右方向）である。液晶パネル１の長辺方向は、ｙ方向（図１が描かれている紙面に対し垂直方向）である。ｘ軸およびｙ軸を含む平面であるｘ−ｙ平面に対し垂直な方向が、ｚ方向（上下方向）である。液晶パネル１の長辺方向が水平にして配置された場合、ｙ方向が水平方向であり、ｘ方向が垂直方向である。
【００２０】
液晶表示装置１００の表示面側から見て、左側が＋ｙ方向であり、右側が−ｙ方向である。「表示面側から見て」とは、＋ｚ方向から−ｚ方向を見ることに対応する。液晶表示装置１００の上側が＋ｘ方向であり、下側が−ｘ方向である。また、液晶表示装置１００が映像を表示する方向は＋ｚ方向であり、その反対方向が−ｚ方向である。＋ｚ方向は、液晶パネル１の表示面１ａ側に対応する。−ｚ方向は、液晶パネル１の裏面１ｂ側に対応する。
【００２１】
実施の形態１における液晶表示装置１００は、液晶パネル１および面光源装置２００を有する。さらに、液晶表示装置１００は、液晶パネル１と面光源装置２００との間に、光学シート２および光学シート３を有する。
【００２２】
液晶パネル１、光学シート２、光学シート３および面光源装置２００は、＋ｚ方向から−ｚ方向に順に配置されている。
【００２３】
液晶パネル１は、透過型の液晶パネルである。液晶パネル１の表示面１ａは、例えば、ｘ−ｙ平面に平行な面である。液晶パネル１の液晶層（図示せず）は、ｘ−ｙ平面に平行な方向に広がる面状の構造を有する。
【００２４】
液晶パネル１の表示面１ａは、通常、矩形形状を有する。表示面１ａの隣接する２辺は、直交している。実施の形態１において、表示面１ａの短辺は、ｘ軸に平行である。また、表示面１ａの長辺は、ｙ軸に平行である。ただし、表示面１ａの形状は、他の形状であってもよい。
【００２５】
光学シート２は、細かな照明むらなどの光学的な影響を抑制する機能を有する。
【００２６】
光学シート３は、面光源装置２００が有する拡散板４から放射された光を液晶パネル１の表示面１ａの法線方向に向ける機能を有する。
【００２７】
面光源装置２００は、光学シート３および光学シート２を通して、液晶パネル１の裏面１ｂに光を照射する。
【００２８】
液晶パネル１は、面光源装置２００から出射された面状の光を画像光に変換する。「画像光」とは、画像情報を有する光のことである。
【００２９】
面光源装置２００は、第１反射部５、少なくとも１つの光源７、配光制御素子６、１組の第２反射部８および拡散板４を有する。
【００３０】
図２は、実施の形態１における面光源装置２００の構成の一部を示す図である。図２は、ｚ−ｘ面における断面を示す。なお、断面部分のハッチングは省略されている。以下に示される各図も同様にハッチングは省略されている。
【００３１】
面光源装置２００は、複数の面光源領域２０を有する。各面光源領域２０は、配光制御素子６と少なくとも１つの光源７と１組の第２反射部８とを含む。各面光源領域２０は、第１反射部５の底面５１に対し平行な一の方向であるｘ方向に配列されている。拡散板４は、各面光源領域２０に含まれる配光制御素子６および１組の第２反射部８を覆うように設けられている。面光源装置２００は、面光源領域２０ごとに光源７の輝度を制御することによりローカルディミングを行うことができる。
【００３２】
図３は、実施の形態１における配光制御素子６の構成を示す図である。以下、第１反射部５、光源７、配光制御素子６、１組の第２反射部８および拡散板４の構成について、図１から図３を用いて説明する。
【００３３】
第１反射部５は、図１に示されるように、底面５１および側面５２を有する。実施の形態１では、第１反射部５は、１つの底面５１および４つ側面５２を有する。図１には、４つの側面５２のうち、２つの側面５２が示されている。第１反射部５は、５つの面を有する。第１反射部５は、箱形状を有する。
【００３４】
底面５１は、例えば、ｘ−ｙ平面に平行な面である。また、底面５１の形状は、例えば、矩形である。
【００３５】
側面５２は、底面５１の各辺に接続されている。側面５２は、＋ｚ方向に向けて発光領域が広がるように傾斜している。発光領域は、例えば、ｘ−ｙ平面に平行な面における一の領域である。側面５２の反射面における法線は、＋ｚ方向の成分を有する。側面５２の反射面とは、第１反射部５の内側の面のことである。ただし、側面５２は、＋ｚ方向に向けて発光領域が広がるように傾斜した面に限定されず、ｙ−ｚ平面に平行な面であってもよい。
【００３６】
底面５１が矩形状で、側面５２が＋ｚ方向に向けて発光領域が広がるように傾斜している場合には、４つの側面５２のうち、底面５１のｙ軸に平行な辺に接続された２つの側面５２は、＋ｚ方向に向けて互いの間隔が広がるように傾斜している。つまり、−ｘ方向の側面５２は、ｙ−ｚ平面に対して、−ｙ方向から見て、底面５１との接続部分を中心に、反時計回りに回転している。また、＋ｘ方向の側面５２は、ｙ−ｚ平面に対して、−ｙ方向から見て、底面５１との接続部分を中心に、時計回りに回転している。
【００３７】
また、４つの側面５２のうち、底面５１のｘ軸に平行な辺に接続された２つの側面５２も、＋ｚ方向に向けて互いの間隔が広がるように傾斜している。つまり、−ｙ方向の側面５２は、ｚ−ｘ面に対して、−ｙ方向から見て、底面５１との接続部分を中心に、図１の−ｙ方向（手前方向）に回転している。また、＋ｙ方向の側面５２は、ｚ−ｘ面に対して、−ｙ方向から見て、底面５１との接続部分を中心に、＋ｙ方向（奥方向）に回転している。
【００３８】
第１反射部５の底面５１に対向する＋ｚ方向には、開口部５３が形成されている。拡散板４は、箱形状の第１反射部５の蓋に相当する。第１反射部５および拡散板４によって、中空の箱形状が構成される。この中空の箱は、例えば、反射面及び拡散面を有する。
【００３９】
第１反射部５は、内側に反射面を有する。つまり、底面５１の内側の面および側面５２の内側の面は、反射面である。それら反射面は、例えば、拡散反射面であってもよい。
【００４０】
第１反射部５は、例えば、ポリエチレンテレフタラートなどの樹脂を基材とした光反射シートまたは基板の表面に金属を蒸着させた光反射シート等である。反射膜は基板上に形成されている。なお、ここで、基板は透明である必要はない。
【００４１】
このように第１反射部５は、内側に反射面を有する。ただし、第１反射部５が独立した部材である場合には、反射部材である。また、第１反射部５は、例えば、液晶表示装置１００の筐体（図示せず）の一部であってもよい。
【００４２】
第１反射部５は、実施の形態１において、光源７を保持する保持部である。光源７は、保持部の主面である第１反射部５の底面５１に保持されている。第１反射部５は保持部の一例であり、保持部は、他の一例として、筐体に保持される基板であってもよい。その場合、筐体は箱形状を有し、第１反射部５は、その筐体の内面に設けられる。基板の裏面がその筐体の内面（底面）に保持される。基板は、例えば、ｙ方向に長手を有する実装基板である。光源７が保持される主面は基板の表面である。配光制御素子６も、その基板の表面に保持される。第１反射部５は、その基板の周囲に配置される。保持部は、以上のような構成であってもよい。
【００４３】
光源７は、図３に示されるように、面光源であり＋ｚ方向に位置する上面に発光面７ａを有する。
【００４４】
光源７は、配光制御素子６の光軸Ｃと光源７の発光面７ａの中心における法線とが一致するよう配置される。光軸Ｃについては、後述する。
【００４５】
実施の形態１においては、面光源装置２００は、複数の光源７を有し、各光源７は、ｙ方向に並べて配置されている。
【００４６】
光源７は、実施の形態１において、ＬＥＤである。ただし、光源７は、ＬＥＤに限定されるものではなく、固体光源、有機エレクトロルミネッセンス光源または平面上に塗布された蛍光体に励起光を照射して発光させる光源等であってもよい。
【００４７】
配光制御素子６は、少なくとも１つの光源７を覆って設けられる。配光制御素子６は、光源７から出射された光の配光を変更する光学素子である。「配光」とは、光源７の空間に対する光度分布のことである。つまり、配光とは、光源７から出る光の空間的分布である。また、「光度」とは、発光体の放つ光の強さの程度を示す値である。光度とは、ある方向の微小な立体角内を通る光束を、その微小立体角で割った値である。つまり、「光度」とは、光源７から出射する光の強度に対応する物理量である。
【００４８】
配光制御素子６は、例えば、集光レンズである。または例えば、配光制御素子６は、部分的に集光特性を有し、部分的に発散特性を有するレンズである。ここで、集光特性は、凸レンズの特性である。発散特性は、凹レンズの特性である。
【００４９】
配光制御素子６は、実施の形態１において、ｙ方向に延びる棒形状の光学素子である。棒形状の光学素子は、例えば、シリンドリカルレンズである。シリンドリカルレンズは、円筒形状の屈折面（以下、シリンドリカル面という。）を有するレンズである。シリンドリカル面は、第１の方向に曲率を有し、その第１の方向に垂直な方向である第２の方向に曲率を有しない。なお、シリンドリカル面の断面は円弧形状に限られない。シリンドリカルレンズは、光を一方向に集光するまたは発散させる。凸形状のシリンドリカルレンズに平行光を入射させると線状に集光する。この集光された線を、焦線という。
【００５０】
実施の形態１において、配光制御素子６は、シリンドリカルレンズであり、ｙ方向に延在するシリンドリカル面を有する。つまり、第１の方向がｘ方向であり、第２の方向がｙ方向である。光源７は、シリンドリカル面が延在する方向に並べて配置されている。
【００５１】
配光制御素子６は、第１反射部５の底面５１に配置される。配光制御素子６は、ｚ軸に平行かつｙ−ｚ面に延在する光軸Ｃを有し、その光軸Ｃに対し対称な形状を有する。なお、その光軸Ｃは、曲率を有するシリンドリカル面の断面形状によって定められる。実施の形態１では、光軸Ｃはｚ−ｘ面における光出射面６４の形状により定められている。
【００５２】
配光制御素子６は、図３に示されるように、本体６７と拡散反射層６６とを有する。本体６７は、光入射面６１、光出射面６４、上面６８および光反射面６３を有する。
【００５３】
光入射面６１は、本体６７の下面側に位置する面である。光入射面６１は、ｚ−ｘ面において、凹形状を有する。光源７は、凹形状を有する光入射面６１と第１反射部５の底面５１とによって形成される空間である凹部に配置されている。つまり、凹部は、光入射面６１に対し−ｚ方向に位置する空間である。配光制御素子６は、凹形状を有する光入射面６１が光源７を覆うように配置されている。実施の形態１では、配光制御素子６は、光源７を＋ｚ方向から覆っている。光源７から出射される光は、光入射面６１に入射する。
【００５４】
配光制御素子６はシリンドリカルレンズであり、光入射面６１はｙ方向に延在する。光入射面６１の凹形状は、ｙ方向に延在する溝形状を有する。光入射面６１の凹形状は、実施の形態１において、半円形状である。
【００５５】
光出射面６４は、本体６７の側部に位置し、後述する拡散反射層６６に覆われていない領域に位置する面である。
【００５６】
光出射面６４は、実施の形態１において、拡散反射層６６に覆われる本体６７の上面６８の端部から−ｚ方向に延在し、かつ、光軸Ｃに対し平行な平面である。ただし、光出射面６４は、本体６７の上面６８の端部から−ｚ方向に延在し、かつ、光軸Ｃに近づくように傾斜する面であってもよい。また、光出射面６４は、本体６７の上面６８の端部から、−ｚ方向に延在し、かつ、光軸Ｃから離れるように傾斜する面であってもよい。光出射面６４は、ｚ−ｘ面内にて曲率を有し、ｙ方向に曲率を有しないシリンドリカル面を含んでもよい。つまり、光出射面６４は、ｙ方向に延在するシリンドリカル面であってもよい。
【００５７】
光反射面６３は、本体６７の下面側に位置する面であって、少なくとも一部が第１反射部５の底面５１に当接する面である。つまり、光反射面６３は、配光制御素子６の本体６７の底面である。
【００５８】
光反射面６３は、光出射面６４の−ｚ方向の端部と、光入射面６１の−ｚ方向の端部とを接続する面である。
【００５９】
光反射面６３は、実施の形態１においては、平面である。光反射面６３は、曲面であってもよい。例えば、光反射面６３は、凸面形状を有してもよい。光反射面６３は、ｘ方向に曲率を有し、ｙ方向に曲率を有しないシリンドリカル面を含んでもよい。つまり、光反射面６３は、ｙ方向に延在するシリンドリカル面であってもよい。
【００６０】
光反射面６３は、光反射面６３に入射する光を拡散反射層６６に向けて反射する機能を有する。
【００６１】
本体６７は、例えば、材料としてＰＭＭＡ（Polymethyl methacrylate）などの透明樹脂を含む。本体６７は、ガラスや透明セラミックスで形成されてもよい。
【００６２】
拡散反射層６６は、本体６７の上面６８に設けられる。拡散反射層６６の中央部における厚さは、中央部よりも外側に位置する外周部における厚さよりも厚い。中央部とは、例えば、光軸Ｃと交わる部分である。拡散反射層６６は、拡散反射面６２および拡散出射面６５を有する。
【００６３】
拡散反射面６２は、本体６７の上面６８側に位置する面であり、少なくとも一部が本体６７の上面６８に接する面である。拡散反射面６２は、光軸Ｃと交わる。
【００６４】
拡散反射面６２は、実施の形態１において、平面である。拡散反射面６２は、−ｚ方向に突出した凸面であってもよい。この場合、本体６７の上面６８は凹面である。または、拡散反射面６２は、＋ｚ方向に凹んだ凹面であってもよい。その場合、本体６７の上面６８は凸面である。拡散反射面６２は、ｙ方向に延在するシリンドリカル面であってもよい。
【００６５】
拡散反射面６２に入射する光は、拡散反射または拡散しながら拡散反射層６６を透過する。
【００６６】
拡散出射面６５は、本体６７の上面６８とは反対側に凸形状を有する面である。拡散出射面６５は、拡散反射層６６を構成する面の一部の面である。拡散出射面６５は、配光制御素子６の＋ｚ方向に位置する。拡散出射面６５は、光軸Ｃと交わる。拡散出射面６５は、ｙ方向に延在するシリンドリカル面であってもよい。
【００６７】
拡散出射面６５から出射される光は、拡散反射層６６において拡散された光である。
【００６８】
拡散反射層６６は、例えば、酸化チタン、酸化亜鉛（亜鉛華）、リトポンなどの拡散材を含む。つまり、拡散反射層６６は白色部材である拡散材により形成される。または、拡散反射層６６は、ＰＭＭＡなどの透明部材に拡散材として白色部材が混合された部材により形成される。白色材料は、例えば粒子状の材料である。
【００６９】
１組の第２反射部８は、図２に示されるように、配光制御素子６の両側に設けられる。１組の第２反射部８は、配光制御素子６から出射される光の一部を反射する機能を有する。１組の第２反射部８は、配光制御素子６に対し−ｘ方向に位置する一方の第２反射部８ａおよび＋ｘ方向に位置する他方の第２反射部８ｂで構成される。
【００７０】
一方の第２反射部８ａおよび他方の第２反射部８ｂは、それぞれ斜面８１を有する。斜面８１は、第１反射部５の底面５１に近い方の一端８１１から遠い方の他端８１２にかけて配光制御素子６の光軸Ｃとの距離が離れるように傾斜している。図２において、各第２反射部８は、１つの斜面８１を有するが、一端８１１から他端８１２にかけて、それぞれが異なる角度で傾斜する複数の斜面を有していてもよい。
【００７１】
実施の形態１における各第２反射部８の斜面８１の一端８１１は、第１反射部５の底面５１に接続している。また、面光源領域２０Ａにおける他方の第２反射部８ｂの他端８１２は、その隣の面光源領域２０Ｂにおける一方の第２反射部８ａの他端８１２に接続する。つまり、各面光源領域２０の境界部において、各第２反射部８は接続している。隣り合う各第２反射部８によって形成される断面は、三角形状を有する。また、斜面８１は、配光制御素子６が延在する方向に長い矩形形状を有する。
【００７２】
斜面８１は、反射面または拡散反射面である。つまり、第１反射部５の開口部５３側に位置する斜面８１は、反射面または拡散反射面である。各第２反射部８は、例えば、ポリエチレンテレフタラートなどの樹脂を基材とした光反射シートである。または例えば各第２反射部８は、基板の表面に金属が蒸着された光反射シートである。この場合、反射膜は基板上に形成されている。なお、基板は透明である必要はない。
【００７３】
１組の第２反射部８は、独立した部材で構成されてもよいし、第１反射部５と一体の部材で構成されてもよい。または、第２反射部８は、例えば、液晶表示装置１００の筐体（図示せず）の一部であってもよい。
【００７４】
拡散板４は、図１または図２に示されるように、第１反射部５の＋ｚ方向に配置されている。拡散板４は、第１反射部５の開口部５３に配置される。つまり、拡散板４は、各面光源領域２０に含まれる配光制御素子６および１組の第２反射部８を覆うように設けられており、面光源装置２００の光出射面に配置されている。１組の第２反射部８の各他端８１２は、図２に示されるように、配光制御素子６の拡散出射面６５が有する凸形状の頂部６９よりも、拡散板４に近い。
【００７５】
拡散板４は、例えば、薄板形状を有する。または、例えば、拡散板４は、シート状であってもよい。または、拡散板４は、基板上に形成された拡散膜を有する構成であってもよい。基板は、例えば、拡散膜を形成するための透明な基板である。つまり、その基板は拡散膜を保持している。
【００７６】
拡散板４は、透過する光を拡散させる。「拡散」とは、拡がり散ることである。つまり、光が散乱することである。拡散板４は、透過する光を散乱させる。
【００７７】
なお、以下の説明で、例えば、「光線は拡散板４に到達する」などの説明をしている。上述のように、一例として、第１反射部５の開口部５３に拡散板４が配置されている。このため、「光線は拡散板４に到達する」は、「光線は開口部５３に到達する」に言い換えることができる。また、開口部５３または拡散板４は、面光源装置２００の光出射面として機能している。このため、「光線は拡散板４に到達する」は、「光線は面光源装置２００の光出射面に到達する」に言い換えることができる。つまり、拡散板４および第１反射部５の開口部５３は、面光源装置２００の光出射面の一例として示されている。
【００７８】
（光線の挙動）
配光制御素子６の本体６７と拡散反射層６６との間に空気が存在しない場合、拡散反射層６６に到達した光線は、拡散反射層６６の内部を拡散しながら透過もしくは拡散反射面６２で拡散反射する。図３に示される光線Ｌ１は、配光制御素子６の本体６７に入射した後、拡散反射層６６の拡散反射面６２を透過する光線である。図４は、光源７から出射された光線であって、光線Ｌ１とは異なる挙動を示す光線Ｌ２を示す図である。光線Ｌ２は、配光制御素子６の本体６７に入射した後、拡散反射層６６の拡散反射面６２で反射する光線である。以下に、光線Ｌ１および光線Ｌ２の挙動の詳細を説明する。
【００７９】
光線Ｌ１は、光源７の発光面７ａから出射され、光入射面６１に達する。光線Ｌ１は、光入射面６１で屈折し、配光制御素子６の本体６７に入射する。この際、スネルの法則により、屈折角は入射角よりも大きくなる。発光面７ａから−ｘ方向かつ＋ｚ方向に出射された光線Ｌ１は、光入射面６１にて＋ｚ方向に屈折する。
【００８０】
光線Ｌ１は、配光制御素子６の本体６７の内部を進行した後、拡散反射層６６の拡散反射面６２に到達する。光線Ｌ１は、拡散反射面６２から拡散反射層６６に入射する。光線Ｌ１は、拡散材によって拡散しながら進行する。そして、光線Ｌ１は、拡散出射面６５より出射される。
【００８１】
上述したように、拡散反射層６６の中央部における厚さは、外周部における厚さよりも厚い。光源７が＋ｚ方向に強い配光特性を有する場合であっても、配光制御素子６の拡散反射層６６は、光線Ｌ１を拡散させ、光軸Ｃ付近の輝度が強くならないよう配光を変更する。
【００８２】
光線Ｌ２は、光源７の発光面７ａから出射され、光入射面６１に達する。光線Ｌ２は、光入射面６１で屈折し、配光制御素子６の本体６７に入射する。この際、発光面７ａから−ｘ方向かつ＋ｚ方向に出射された光線Ｌ２は、光入射面６１にて＋ｚ方向に屈折する。
【００８３】
光線Ｌ２は、配光制御素子６の本体６７の内部を進行した後、拡散反射層６６の拡散反射面６２に到達する。光線Ｌ２は、拡散反射面６２にて−ｚ方向に拡散反射される。光線Ｌ２は、再び本体６７の内部を進行した後、光反射面６３に到達する。光線Ｌ２は、光反射面６３で＋ｚ方向に反射される。
【００８４】
拡散反射面６２における拡散反射と光反射面６３における反射とが１回以上繰り返されることにより、光線Ｌ２は、配光制御素子６の本体６７を＋ｘ方向もしくは−ｘ方向に進行する。光線Ｌ２は、配光制御素子６の側部に位置する光出射面６４から出射される。光出射面６４から出射された光線Ｌ２のうち、−ｚ方向に出射された光線Ｌ２は、第１反射部５の底面５１によって＋ｚ方向に反射される。
【００８５】
このように、拡散反射面６２または光反射面６３は、光線Ｌ２のようにｘ方向に進行する光線を増加させる。それにより、各面光源領域２０において、１つの配光制御素子６が照射する範囲が広くなる。
【００８６】
図５は、光源７から出射された光線Ｌ３の挙動を示す図である。
【００８７】
光線Ｌ３は、光源７の発光面７ａから出射され、光入射面６１に達する。光線Ｌ３は、光入射面６１にて屈折し、配光制御素子６の本体６７に入射する。この際、発光面７ａから−ｘ方向かつ＋ｚ方向に出射された光線Ｌ３は、光入射面６１にて＋ｚ方向に屈折する。
【００８８】
光線Ｌ３は、配光制御素子６の本体６７の内部を−ｘ方向に進行した後、本体６７の光出射面６４に到達する。光線Ｌ３は、光出射面６４から出射される。この際、光線Ｌ３は、＋ｚ方向に屈折する。
【００８９】
図６は、配光制御素子６から出射された光線Ｌａおよび光線Ｌｂの挙動を示す図である。
【００９０】
光線Ｌａは、配光制御素子６から出射された光線のうち、拡散反射層６６の拡散出射面６５から＋ｚ方向に出射された光線である。つまり、光線Ｌａは、図３に示された光線Ｌ１を含む。光線Ｌａは、直接、開口部５３に設けられた拡散板４に到達する。光線Ｌａは、拡散板４おける照射領域９１を照射する。照射領域９１は、配光制御素子６の直上近辺に位置する。
【００９１】
光線Ｌｂは、配光制御素子６から出射された光線のうち、本体６７の光出射面６４から出射された光線である。つまり、光線Ｌｂは、図４に示された光線Ｌ２および図５に示された光線Ｌ３を含む。その光線Ｌｂのうち、＋ｚ方向に出射された光線は、直接、開口部５３に設けられた拡散板４に到達する。または、＋ｚ方向に出射された光線Ｌｂ１は、各第２反射部８の斜面８１で反射され、拡散板４に到達する。光線Ｌｂのうち、−ｚ方向に出射された光線Ｌｂ２は、第１反射部５の底面５１にて＋ｚ方向に反射される。その後、光線Ｌｂ２は、直接、拡散板４に到達する。もしくは、−ｚ方向に出射された光線は、第１反射部５の底面５１および各第２反射部８の斜面８１で反射され、拡散板４に到達する。
【００９２】
光線Ｌｂは、配光制御素子６から出射された後、配光制御素子６の周辺の広範囲に伝播する。光線Ｌｂは、拡散板４における照射領域９２を照射する。照射領域９２は、照射領域９１よりも各第２反射部８の近くに位置する領域である。また、光線Ｌｂは、その照射領域９２に入射する際、開口部５３つまり拡散板４に対して垂直に近い角度で入射する。
【００９３】
図７は、配光制御素子６から出射された光線Ｌａおよび光線Ｌｂの別の挙動を示す図である。
【００９４】
配光制御素子６から出射された光線Ｌａの一部は、直接、拡散板４における照射領域９３に到達する。照射領域９３は、各第２反射部８の他端８１２の直上近辺に位置する。すなわち、図６に示される照射領域９２は、照射領域９１と図７に示される照射領域９３との間に位置する。また、配光制御素子６から出射された光線Ｌｂの一部も、照射領域９３に到達する。
【００９５】
このように、配光制御素子６および各第２反射部８は、光源７から出射される光線の照射範囲を拡大する。配光制御素子６および各第２反射部８は、各第２反射部８の上方に位置する照射領域９２および照射領域９３の輝度低下を抑制する。つまり、配光制御素子６および各第２反射部８は、面光源領域２０の端部における輝度低下を抑制し、面光源領域２０における輝度均一性を向上させる。
【００９６】
面光源領域２０Ａの配光制御素子６から出射された光線Ｌａおよび光線Ｌｂは、隣接する面光源領域２０Ｂに向かう。各第２反射部８の他端８１２は、配光制御素子６の頂部６９よりも、拡散板４の近くに位置する。そのため、光線Ｌａおよび光線Ｌｂは、各第２反射部８で反射される。面光源領域２０Ａにおける各第２反射部８は、光線Ｌａおよび光線Ｌｂが隣接する面光源領域２０Ｂに入射することによって引き起こされる光漏れを抑制する。その結果、面光源領域２０ごとに照射領域が明確に分割され、ローカルディミングに適した面光源装置２００が得られる。
【００９７】
なお、光線Ｌａおよび光線Ｌｂの広がりは、配光制御素子６の構成を調整することで制御可能である。その配光制御素子６の構成とは、光入射面６１の面形状、拡散反射層６６の形状もしくは厚み、光出射面６４の傾斜角度もしくは形状、各第２反射部８の斜面８１の傾斜角度もしくは形状などである。
【００９８】
拡散板４に到達した光線Ｌａおよび光線Ｌｂのうち一部の光線は、拡散板４にて反射し、第１反射部５の底面５１と側面５２とで囲われた空間を進行する。第１反射部５で囲われた空間を進行した光線は、第１反射部５の底面５１または側面５２で反射されて、再び拡散板４に到達する。
【００９９】
拡散板４を透過する光は拡散され、均一性が増した面状の照明光となる。
【０１００】
その照明光は、液晶パネル１の裏面１ｂに向けて放射される。この照明光は、光学シート３及び光学シート２を透過して、液晶パネル１の裏面１ｂに照射される。なお、裏面１ｂは、液晶パネル１の−ｚ方向の面である。
【０１０１】
（効果）
以上をまとめると、実施の形態１における面光源装置２００は、主面（底面５１）を有する保持部（第１反射部５）と、第１反射部５の底面５１に保持される少なくとも１つの光源７と、少なくとも１つの光源７を覆って設けられ、少なくとも１つの光源７から出射される光の配光を変更する配光制御素子６と、配光制御素子６の両側に設けられ、配光制御素子６から出射される光の一部を反射する１組の反射部（１組の第２反射部８）と、を含む。配光制御素子６は、少なくとも１つの光源７から出射される光が入射する光入射面６１を下面側に含む本体６７と、拡散材を含み、本体６７の上面６８に設けられる拡散反射層６６と、を含む。拡散反射層６６は、本体６７の上面６８とは反対側に凸形状を有する拡散出射面６５を含む。拡散反射層６６の中央部における厚さは、中央部よりも外側に位置する外周部における厚さよりも厚い。１組の第２反射部８の各々は、第１反射部５の底面５１に近い方の一端８１１から遠い方の他端８１２にかけて配光制御素子６の中心を通る光軸Ｃとの距離が離れるように傾斜する少なくとも１つの斜面８１を有する。
【０１０２】
以上の構成により、面光源装置２００は、配光制御素子が照射する照射範囲内の輝度の均一性を向上させ、かつ、照射範囲外への光の漏れを抑制する。その結果、薄型かつ軽量であり、大画面を均一に照射可能な面光源装置２００が得られる。さらに、このような面光源装置２００は、ローカルディミングに適している。
【０１０３】
薄型の面光源装置は、光源と開口部との距離が近い。照射範囲を拡げるために、配光制御素子によって光の進行方向を変えた場合、開口部に対して浅い角度で入射する光が増加する。開口部に対してθの角度で入射した光の照度は、垂直方向から入射した光の照度に対してｃｏｓθ倍の値を有する。つまり、θの角度で入射した光の照度は、斜入射光特性（コサイン特性）により減衰する。さらに、開口部に拡散板などが設置される場合、フレネルの式により、入射角度が大きいほど拡散板への入射光は減衰する。そのため、面光源装置の厚みが２０ｍｍ以下である薄型の面光源装置において、直接的な照射により照射範囲を拡げることは、困難な課題である。しかし、実施の形態１における面光源装置２００においては、配光制御素子６がｘ方向に伝播する光を増加させ、各第２反射部８がｘ方向に伝播した光を拡散板４に対して垂直に近い角度で反射させる。その結果、薄型の面光源装置であっても照射範囲を拡げることが可能となり、また、輝度均一性が高い面光源装置が実現できる。
【０１０４】
また、実施の形態１において示された光源７は、光源７が点光源ではなく発光面７ａを有する面光源である。配光制御素子が光源の発光面に対して十分に大きい場合、その発光面は点光源とみなすことができる。よって、配光制御素子の光学設計値は、点光源に対して設計される。しかし、面光源装置の薄型化に伴い、配光制御素子のサイズは小型化している。そのため、光源の発光面が点光源としてみなせない場合が生じる。その場合、点光源に対して設計された配光制御素子に面状の光が入射する。その結果、意図しない角度で配光制御素子の入射面等に入射する光は迷光となり、照射面の均一性に影響を及ぼす。特に、配光制御素子の周辺において生じる迷光による照射面の均一性の乱れを抑えることは難しい。そのため、この迷光も、面光源装置の照明光として利用して、光の均一性の向上を図ることが好ましい。実施の形態１における面光源装置２００は、配光制御素子６の拡散反射層６６および第２反射部８を備えることにより、光源７が点光源としてみなせない程度の大きさであっても、照射面の輝度均一性を向上させることができる。
【０１０５】
このように、面光源装置２００は、均一性の高い輝度分布の面状の光を発する。このため、面光源装置２００は、液晶表示装置１００のバックライト以外にも利用できる。例えば、面光源装置２００は、部屋の照明等で用いられる照明装置としても利用できる。また、面光源装置２００は、例えば、写真などを裏面側から照明する公告表示装置などにも利用できる。
【０１０６】
また、実施の形態１における面光源装置２００の配光制御素子６は、少なくとも一部が第１反射部５の底面５１に当接しかつ光を拡散反射層６６に向けて反射する光反射面６３を配光制御素子６の本体６７の下面側に含む。
【０１０７】
このような構成により、配光制御素子６は、拡散反射層６６の拡散反射面６２と本体６７の光反射面６３とにより、光源７から出射される光を配光制御素子６の側方に伝播させることができる。照射範囲の端部にまで光が伝播するため、均一な輝度分布を有する面光源装置２００が得られる。
【０１０８】
また、実施の形態１における面光源装置２００は、各々が少なくとも１つの光源７と配光制御素子６と１組の第２反射部８とを含み、かつ、各々が第１反射部５の底面５１に対し平行な一の方向に配列された複数の面光源領域２０と、複数の面光源領域２０の各々の配光制御素子６と１組の第２反射部８とを覆って設けられる拡散板４と、をさらに含む。１組の第２反射部８の各他端８１２は、配光制御素子６の拡散出射面６５における頂部６９よりも、拡散板４の近くに位置する。
【０１０９】
このような構成により、一の面光源領域２０Ａの光が隣に位置する他の面光源領域２０Ｂに漏れることがなく、互いの照射範囲が重なることを抑制することができる。このような面光源装置２００は、ローカルディミングに適している。
【０１１０】
また、実施の形態１における液晶表示装置１００は、上記の面光源装置２００と、面光源装置２００から出射された面状の光を画像光に変換する液晶パネル１と、を含む。
【０１１１】
このような構成により、液晶表示装置１００が表示する画像の画質が向上する。
【０１１２】
実施の形態１においては、配光制御素子６の光入射面６１の凹形状は、半円形状であったが、それに限定されるものではない。図８は、配光制御素子の構成の別の一例を示す図である。図８においては、光入射面６１の凹形状は、矩形形状である。また、図示は省略するが、凹形状は、台形または各辺の長さが異なった多角形であってもよい。または、光入射面６１の凹形状は、二等辺三角形であってもよい。凹形状が二等辺三角形である場合、光入射面６１は二等辺三角形の等辺に対応する。またその場合、二等辺三角形の等辺に対応する２つの面の交点は、二等辺三角形の頂点に相当する。光入射面６１は、平面に限定されるものではない。光入射面６１は、ｚ−ｘ面における断面において曲線を有する曲面であってもよい。
【０１１３】
また、実施の形態１においては、配光制御素子６は、一例として、棒形状の光学素子であるシリンドリカルレンズが示された。しかし、配光制御素子６は、棒形状の光学素子に限定されるものではない。１つの光源７に１つの配光制御素子が取り付けられても同様の効果が得られる。つまり、配光制御素子６は、光軸Ｃに対して回転対称の形状等であってもよい。例えば、配光制御素子６は、光軸Ｃに対して対称な回転体の形状を有する。回転体は、平面曲線をこの平面内の直線を回転の軸として回転させることにより得られる立体図形である。
【０１１４】
この場合には、配光制御素子の光入射面は、円錐形状または円錐台形状などを有する。
【０１１５】
配光制御素子６が棒形状を有する場合には、配光制御素子６は、押出し成形によって製造することができる。
【０１１６】
また、通常、直下型の面光源装置では、１つの光源７に１つのレンズが装着されている。一方で、配光制御素子６が棒状の形状を有する場合、１列に並べられた複数の光源７に対して、１つの配光制御素子６が配置される。
【０１１７】
そのため、配光制御素子の部品点数を減らすことができる。また、個々の光源７に配光制御素子が装着される構成にあっては、光源７が配置された基板上に、個々の配光制御素子を取り付ける必要がある。しかし、実施の形態１の配光制御素子６は、１列に並べられた複数の光源７に対して、１つの配光制御素子６を取り付ける。そのため、配光制御素子６の取り付け作業が容易になる。
【０１１８】
また、例えば、複数のレンズで構成されるレンズアレイの様に、光源７に対してｘ−ｙ平面において位置決めが必要な光学素子の採用が考えられる。しかし、光源７の数の増減によって、光学素子の金型を変更する必要がある。このため、面光源装置の仕様の変更に対する汎用性が低い。
【０１１９】
実施の形態１における配光制御素子６は、光源７の数の増減に対して、配光制御素子６の金型の変更は不要である。そのため、配光制御素子６は、面光源装置２００の仕様の変更に対する汎用性が高い。光源７の数を変えるだけで、面光源装置２００の輝度を調整できる。このため、最適な光源７の数を配置することができる。
【０１２０】
また、配光制御素子６を押出し成形で製造した場合には、その長さは自由に変えられる。このため、例えば、液晶表示装置１００の大きさが異なる場合でも、同じ金型で対応できる。
【０１２１】
以上より、実施の形態１の面光源装置２００は、一部の領域に光源７を配置しても、配光制御素子６から出射される光線の進行方向を、面光源装置２００の光出射面（拡散板４）に向けて変更できる。つまり、光線の進行方向は、配光制御素子６によって、開口部５３（面光源装置２００の光出射面）の方向に変更される。このため、面光源装置２００は、均一性が増した面状光源を実現できる。
【０１２２】
また、光源７の数を減らすために、光源７を一列に並べて配置する構成が考えられる。例えば、複数の光源７は、面光源装置２００の短辺方向（ｘ方向）の中央の部分に、長辺方向（ｙ方向）に沿って配置される。棒形状の配光制御素子６を用いることで、簡易な構成によって光源７の配光を面光源装置２００の光出射面（拡散板４）に向けることができる。
【０１２３】
なお、実施の形態１において、本体６７が透明材料からなる配光制御素子６が示された。しかし、配光制御素子６の本体６７は、拡散材を含んでもよい。また、配光制御素子６は、光入射面６１、光出射面６４、本体６７の上面６８、拡散反射面６２または拡散出射面６５に微小な凹凸形状を有していてもよい。
【０１２４】
拡散材または凹凸形状によって、光線の進行方向はランダムに変わる。このため、明線を和らげることができる。「明線」とは、面光源装置２００の光出射面上に、線状にできる輝度の高い領域のことである。
【０１２５】
また、複数の光源７を並べて配置すると面光源装置の光出射面上で輝度ムラが発生する場合がある。この場合でも、光を拡散することで、輝度ムラを緩和することができる。つまり、明るい部分と暗い部分との差を緩和することができる。
【０１２６】
また、凹凸形状を光入射面６１、光出射面６４、本体６７の上面６８、拡散反射面６２または拡散出射面６５の全域において施す必要はない。例えば、光入射面６１のみに凹凸形状を付けることができる。また、例えば、光出射面６４の一部の領域のみに凹凸形状を付けることができる。つまり、凹凸形状は、光入射面６１、光出射面６４、本体６７の上面６８、拡散反射面６２または拡散出射面６５の一部の領域であってもよい。
【０１２７】
また、凹凸形状は、全ての領域において同一の粗さにする必要はない。例えば、光入射面６１の凹凸形状を、光出射面６４又は拡散反射面６２の凹凸形状よりも小さくすることができる。
【０１２８】
ただし、光の配光は、配光制御素子の形状による屈折または反射によって、面光源装置２００の光出射面（拡散板４）に向けられる。このため、光の拡散の要因が増すと、光源７の近くのみが明るくなり、光源７から離れるにつれて暗くなる可能性がある。
【０１２９】
このような構成で、面状の光の均一性を向上させることが可能である。
【０１３０】
また、光源７は、以下のような構成であってもよい。光源７は、例えば、柱体形状を有する。「柱体」とは、平行な２つの平面と柱面とで囲まれた筒状の立体のことである。柱面は、柱体の側面にあたる曲面である。柱体は、角柱または円柱などを含む。光源７は、例えば、四角柱形状を有する。または、光源７は、例えば、円柱形状を有する。例えば、光源７の形状が四角柱を有する場合には、柱面は複数の平面からなる。
【０１３１】
発光面７ａは、柱体形状の１つの平面に相当する。なお、柱体形状の２つの平面のうち、少なくとも発光面７ａに相当する面は、曲面であっても良い。また、中心軸を通る平面上での側面の形状は、曲線であってもよい。例えば、柱体形状の中心軸に垂直な平面上での側面の形状は、曲線であってもよい。
【０１３２】
光源７は、例えば、錐台形状を有する。「錐台」とは、錐体から、頂点を共有し相似に縮小した錐体を取り除いた立体図形である。光源７は、例えば、角錐台形状を有する。または、光源７は、例えば、円錐台形状を有する。錐台は２枚の平行な底面を有する。台形の２本の底辺と同様に、それぞれの底面は上底または下底と呼ばれる。
【０１３３】
少なくとも錐台形状の上底は、曲面であってもよい。また、中心軸を通る平面上での側面の形状は、曲線であってもよい。例えば、錐台形状の中心軸に垂直な平面上での側面の形状は、曲線であってもよい。
【０１３４】
光源７は、例えば、ドーム形状を有する。「ドーム形状」とは、アーチ形状の頂部６９を中心として水平に回転させた形状である。例えば、ドーム形状は、半球形状である。「アーチ形状」とは、中央部が上の方向に突出した曲線形状である。
【０１３５】
光源７は、柱体形状、錐台形状またはドーム形状が組み合わされた形状を有してもよい。例えば、光源７は、錐台形状の上底部分にドーム形状を乗せた形状を有してもよい。
【０１３６】
＜実施の形態２＞
実施の形態２における面光源装置および液晶表示装置を説明する。なお、実施の形態１と同様の構成および動作については説明を省略する。
【０１３７】
図９は、実施の形態２における配光制御素子６および１組の第２反射部８Ｃの構成を示す図である。また、図９には、拡散板４によって反射された戻り光である光線Ｌｃが示されている。
【０１３８】
各第２反射部８Ｃは、斜面８１の他端８１２に接続される平面８２を有する。平面８２は、第１反射部５の底面５１に対し平行である。平面８２は、斜面８１と同様に反射面である。面光源領域２０の境界部において、平面８２によって、各第２反射部８は接続している。隣り合う各第２反射部８によって形成される断面は、台形形状を有する。
【０１３９】
このような構成により、光線Ｌｃは、平面８２で反射され、照射領域９３に到達しやすくなる。また、光線Ｌｃだけでなく、光学シート２または光学シート３によって反射された戻り光も、平面８２で反射され、照射領域９３に到達しやすくなる。その結果、平面８２は、各第２反射部８の直上における輝度低下をさらに抑制する。
【０１４０】
各第２反射部８が平面８２に代えて曲面を有する場合であっても上記と同様の効果を奏する。
【０１４１】
＜実施の形態３＞
実施の形態３における面光源装置および液晶表示装置を説明する。なお、実施の形態１または２と同様の構成および動作については説明を省略する。
【０１４２】
図１０は、実施の形態３における配光制御素子６Ａの構成を示す図である。また、図１０には、光源７の発光面７ａから出射され光線Ｌ３の挙動が示されている。
【０１４３】
拡散反射層６６は、配光制御素子６の本体６７の上面６８の端部から本体６７の外側に向けて突出した突出部６６１を有する。
【０１４４】
光出射面６４から出射された光線Ｌ３は、＋ｚ方向に屈折し、拡散反射層６６の突出部６６１に到達する。光線Ｌ３は、突出部６６１により−ｚ方向に拡散反射される。
【０１４５】
このように、突出部６６１は、開口部５３に対して浅い角度で入射しようとする強度の高い光を遮光する庇として機能する。突出部６６１は、ｘ方向に進行する光線を増加させる。それにより、照射範囲が広くなる。また、突出部６６１は、明線を抑制し、均一な輝度分布の面光源を実現する。
【０１４６】
なお、本発明は、その発明の範囲内において、各実施の形態を自由に組み合わせたり、各実施の形態を適宜、変形、省略したりすることが可能である。
【０１４７】
本発明は詳細に説明されたが、上記した説明は、すべての態様において、例示であって、本発明がそれに限定されるものではない。例示されていない無数の変形例が、本発明の範囲から外れることなく想定され得るものと解される。
【符号の説明】
【０１４８】
１  液晶パネル、４  拡散板、５  第１反射部、７  光源、８  第２反射部、８１  斜面、８２  平面、８１１  一端、８１２  他端、５１  底面、６  配光制御素子、６１  光入射面、６２  拡散反射面、６３  光反射面、６４  光出射面、６５  拡散出射面、６６  拡散反射層、６７  本体、６８  上面、６９  頂部、６６１  突出部、１００  液晶表示装置、２０  面光源領域、２００  面光源装置、Ｃ  光軸。
【図１】
2019204693.tif 000003
【図２】
2019204693.tif 000004
【図３】
2019204693.tif 000005
【図４】
2019204693.tif 000006
【図５】
2019204693.tif 000007
【図６】
2019204693.tif 000008
【図７】
2019204693.tif 000009
【図８】
2019204693.tif 000010
【図９】
2019204693.tif 000011
【図１０】
2019204693.tif 000012